(57)【要約】【課題】  エンジンのボデーに対する車両前後方向への相対変位を有利に阻止し得る横置きエンジンの支持構造を提供する。【解決手段】  横置きにされたエンジン１０の慣性主軸上に配置された左側及び右側防振マウントと、エンジン１０の車両前後方向の両側に配置された前側及び後側筒型防振マウント１８，２０とにて、エンジン１０を支持させる。そして、前側及び後側筒型防振マウント１８，２０のうちの何れか一方の軸部材６２と外筒部材６４とをエンジン１０とボデー１６に対して別々に取り付ける第一及び第二の取付金具５０，５２の何れか一方に、軸部材６２と外筒部材６４とが車両前後方向に相対変位せしめられたときに、第一及び第二の取付金具５０，５２のうちの他方が当接するストッパ部１００を備えた変位規制部材９６を設けた。【選択図】            図  ３
2005280399.tif 000002
【特許請求の範囲】
【請求項１】
横置きされた車両用エンジンの慣性主軸上における該エンジンを間に挟んだ車両の左側及び右側にそれぞれ位置せしめた左側防振マウントと右側防振マウントとにて、かかるエンジンを、その左右両側において、車両のボデーに支持させると共に、車両の左右方向に延びる軸部材と、該軸部材の軸直角方向外方に所定距離を隔てて配された外筒部材とが、それらの間に介装された本体ゴム弾性体にて連結されてなり、且つエンジンを間に挟んだ車両の前側及び後側において、該軸部材が、第一の取付金具を介して、エンジンとボデーのうちの何れか一方に取り付けられる一方、該外筒部材が、第二の取付金具を介して、エンジンとボデーのうちの何れか他方に取り付けられた構造の前側筒型防振マウントと後側筒型防振マウントとにて、エンジンを、その前後両側においても、ボデーに支持するようにした横置きエンジンの支持構造にして、
前記前側及び後側筒型防振マウントのうちの少なくとも何れか一方を、
前記軸部材を間に挟んだ上側と下側の前記本体ゴム弾性体部位に、肉抜け空所をそれぞれ設ける一方、前記第一の取付金具と前記第二の取付金具のうちの何れか一方に、それらのうちの何れか他方に対して、車両の前後方向に所定距離を隔てて位置せしめられたストッパ部と、該ストッパ部を該一方の取付金具に連結せしめる連結部とを有する変位規制部材を設け、前記軸部材と前記外筒部材とが車両前後方向に相対変位せしめられたときに、該変位規制部材の該ストッパ部と該他方の取付金具とが相互に当接せしめられることにより、それら軸部材と外筒部材の車両前後方向への相対変位量が、該ストッパ部と該他方の取付金具との間の距離に応じた量において規制されるように、構成したことを特徴とする横置きエンジンの支持構造。
【請求項２】
前記変位規制部材のストッパ部が、上下方向に延びるストッパ面を有して構成される一方、前記他方の取付金具が、該ストッパ面に平行な当接面を有して構成されている請求項１に記載の横置きエンジンの支持構造。
【請求項３】
前記変位規制部材が、前記ストッパ部と前記連結部とが一体形成された金属製部材にて構成されている請求項１又は請求項２に記載の横置きエンジンの支持構造。
【請求項４】
エンジンが横置きされた車両の左右方向に延びる軸部材と、該軸部材の軸直角方向外方に所定距離を隔てて配された外筒部材とを、それらの間に介装された本体ゴム弾性体にて連結せしめてなる筒型防振マウントが、かかるエンジンと車両のボデーのうちの何れか一方に取り付けられる第一の取付金具に対して、該軸部材を固定せしめて、組み付けられると共に、エンジンとボデーのうちの何れか他方に取り付けられる第二の取付金具に対して、該外筒部材を固定せしめて、組み付けられて、エンジンを間に挟んだ車両の前側と後側とにおけるエンジンとボデーとの間にそれぞれ介装される組付体からなり、エンジンの慣性主軸上におけるエンジンを間に挟んだ車両の左側と右側とにおけるエンジンとボデーとの間にそれぞれ介装される防振マウントと共に、エンジンをボデーに支持せしめる筒型防振マウント組付体にして、
前記筒型防振マウントの前記軸部材を間に挟んだ上側と下側の前記本体ゴム弾性体部位に、肉抜け空所がそれぞれ設けられる一方、前記第一の取付金具と前記第二の取付金具のうちの何れか一方に、それらのうちの他方に対して、車両の前後方向に所定距離を隔てて位置せしめられるストッパ部と、該ストッパ部を該一方の取付金具に連結せしめる連結部とを有する変位規制部材が設けられて、該筒型防振マウントが、該第一及び第二の取付金具を介して、エンジンとボデーとに取り付けられた状態下において、前記軸部材と前記外筒部材とが車両前後方向に相対変位せしめられたときに、該変位規制部材の該ストッパ部と該他方の取付金具とが相互に当接せしめられることにより、それら軸部材と外筒部材の車両前後方向への相対変位量が、該ストッパ部と該他方の取付金具との間の距離に応じた量において規制されるように構成されていることを特徴とする筒型防振マウント組付体。
【発明の詳細な説明】
【技術分野】
【０００１】
本発明は、横置きエンジンの支持構造並びに筒型防振マウント組付体に係り、特に、横置きにされたエンジンを、その慣性主軸（トルクロール軸）上におけるエンジンの左右両側に位置せしめられた二つの防振マウントと、エンジンの前後両側に位置せしめられた二つの筒型防振マウントとにて、車両のボデーに支持せしめるようにした横置きエンジンの支持構造と、そのような支持構造に有利に用いられる筒型防振マウント組付体とに関するものである。
【背景技術】
【０００２】
よく知られているように、ＦＦ（フロントエンジン・フロントドライブ）型自動車等においては、エンジンが、その慣性主軸を車両の左右方向に延出させるように、横置きに配置されている。そして、この横置きに配置されたエンジンを車両のボデーに支持させる構造の一種として、エンジンの慣性主軸上におけるエンジンの左右両側に位置せしめられた二つの防振マウントと、エンジンの前後両側に位置せしめられた二つの防振マウントとを介して、エンジンを車両のボデーに防振支持せしめるようにした構造が、知られている（例えば、特許文献１参照）。
【０００３】
このような横置きエンジンの支持構造においては、慣性主軸上に配された左側及び右側防振マウントにて、エンジン重量の殆どが分担せしめられた状態で、エンジンがボデーに防振支持されるようになっているところから、加減速時において、エンジンが、そのトルク変動により、ロール方向（慣性主軸を回転軸とした回転方向）に変位（回転）せしめられるようになる。そのため、かかる支持構造では、エンジンの前後両側に位置せしめられた前側及び後側防振マウントが、エンジンのロール方向の変位を弾性的に抑えるロールマウントとして、機能せしめられるようになっている。
【０００４】
すなわち、従来の横置きエンジンの支持構造では、エンジンの前後両側に位置せしめられる二つの防振マウントが、多くの場合、車両の左右方向に延びる軸部材と、この軸部材の軸直角方向外方に所定距離を隔てて配された外筒部材とを、それらの間に介装された本体ゴム弾性体にて連結せしめてなる、所謂筒型防振マウントにて構成されており、この筒型防振マウントの軸部材と外筒部材のうちの何れか一方が、エンジンに取り付けられたブラケット等の取付金具に固定される一方、それらのうちの何れか他方が、ボデーに取り付けられたブラケット等の取付金具に固定されることで、それら軸部材と外筒部材とが、取付金具を介して、エンジンとボデーとに取り付けられるようになっている。
【０００５】
これによって、発進時や制動時等の加減速時に生ずるエンジンのロール方向の変位（慣性主軸を回転軸とした、エンジンの回転）が、エンジンの前後に位置せしめられる筒型防振マウントに対して、略上下方向への振動として入力せしめられ、そして、この略上下方向の入力振動が、本体ゴム弾性体の弾性変形によって吸収せしめられるようになっているのである。
【０００６】
ところが、このような従来の横置きエンジンの支持構造においては、エンジンをボデーに防振支持させる防振マウント、特に、エンジンの前後両側に位置せしめられる筒型防振マウントが、主に、上下方向の振動として入力されるエンジンの変位を抑制し得るように構成されているために、例えば、車両の衝突時に、エンジンが、ボデーに対して車両前後方向に相対変位せしめられたときに、かかる変位を抑えることが困難であった。
【０００７】
それ故、車両の衝突が、たとえ、時速１０ｋｍ程度での軽衝突であっても、エンジンの車両前後方向への変位により、エンジンの周囲において、ボデーに固定された様々な部品とエンジンとが接触して、それらの部品が損傷し、また、その損傷が著しい場合には、自走が困難となってしまう恐れさえもあったのである。
【０００８】
なお、このような問題を解消するには、例えば、エンジンの前後両側に位置せしめられる筒型防振マウントにおける軸部材と外筒部材との間の距離を十分に小さくして、エンジンが前後方向に変位せしめられたときに、それら軸部材と外筒部材を接触させることにより、かかるエンジンの前後方向への変位量を、軸部材と外筒部材との間の距離に応じた量において規制するように為すことが、容易に考えられる。しかしながら、その場合には、軸部材と外筒部材との間に介装される本体ゴム弾性体が不可避的に薄いものとなり、それによって、筒型防振マウントの防振特性、ひいてはエンジンの防振支持特性に悪影響が及ぼされるといった新たな問題が惹起されることとなる。
【０００９】
【特許文献１】特許第２７６０１０８号公報
【発明の開示】
【発明が解決しようとする課題】
【００１０】
ここにおいて、本発明は、上述せる如き事情を背景にして為されたものであって、その解決課題とするところは、横置きにされたエンジンを、車両のボデーに対して防振マウントを介して支持せしめた状態で、防振マウントの所望の防振特性を損なうことなく、エンジンのボデーに対する車両前後方向への相対変位を阻止して、エンジンの周囲に配される部品の車両の軽衝突時における損傷を有利に防止することが出来るようにした横置きエンジンの支持構造を提供することにあり、また、そのような横置きエンジンの支持構造に有利に用いられる筒型エンジンマウント組付体を提供することをも、解決課題とするものである。
【課題を解決するための手段】
【００１１】
そして、本発明にあっては、横置きエンジンの支持構造に係る課題の解決のために、その第一の態様とするところは、横置きされた車両用エンジンの慣性主軸上における該エンジンを間に挟んだ車両の左側及び右側にそれぞれ位置せしめた左側防振マウントと右側防振マウントとにて、かかるエンジンを、その左右両側において、車両のボデーに支持させると共に、車両の左右方向に延びる軸部材と、該軸部材の軸直角方向外方に所定距離を隔てて配された外筒部材とが、それらの間に介装された本体ゴム弾性体にて連結されてなり、且つエンジンを間に挟んだ車両の前側及び後側において、該軸部材が、第一の取付金具を介して、エンジンとボデーのうちの何れか一方に取り付けられる一方、該外筒部材が、第二の取付金具を介して、エンジンとボデーのうちの何れか他方に取り付けられた構造の前側筒型防振マウントと後側筒型防振マウントとにて、エンジンを、その前後両側においても、ボデーに支持するようにした横置きエンジンの支持構造において、前記前側及び後側筒型防振マウントのうちの少なくとも何れか一方を、（ａ）前記軸部材を間に挟んだ上側と下側の前記本体ゴム弾性体部位に、肉抜け空所をそれぞれ設ける一方、（ｂ）前記第一の取付金具と前記第二の取付金具のうちの何れか一方に、それらのうちの何れか他方に対して、車両の前後方向に所定距離を隔てて位置せしめられたストッパ部と、該ストッパ部を該一方の取付金具に連結せしめる連結部とを有する変位規制部材を設け、前記軸部材と前記外筒部材とが車両前後方向に相対変位せしめられたときに、該変位規制部材の該ストッパ部と該他方の取付金具とが相互に当接せしめられることにより、それら軸部材と外筒部材の車両前後方向への相対変位量が、該ストッパ部と該他方の取付金具との間の距離に応じた量において規制されるように、構成したことを特徴とする横置きエンジンの支持構造にある。
【００１２】
また、このような本発明に従う横置きエンジンの支持構造の好ましい第二の態様においては、前記変位規制部材のストッパ部が、上下方向に延びるストッパ面を有して構成される一方、前記他方の取付金具が、該ストッパ面に平行な当接面を有して構成される。
【００１３】
さらに、本発明に従う横置きエンジンの支持構造の有利な第三の態様では、前記変位規制部材が、前記ストッパ部と前記連結部とが一体形成された金属製部材にて構成される。
【００１４】
そして、本発明にあっては、筒型エンジンマウント組付体に係る技術的課題の解決のために、その第四の態様とするところは、エンジンが横置きされた車両の左右方向に延びる軸部材と、該軸部材の軸直角方向外方に所定距離を隔てて配された外筒部材とを、それらの間に介装された本体ゴム弾性体にて連結せしめてなる筒型防振マウントが、かかるエンジンと車両のボデーのうちの何れか一方に取り付けられる第一の取付金具に対して、該軸部材を固定せしめて、組み付けられると共に、エンジンとボデーのうちの何れか他方に取り付けられる第二の取付金具に対して、該外筒部材を固定せしめて、組み付けられて、エンジンを間に挟んだ車両の前側と後側とにおけるエンジンとボデーとの間にそれぞれ介装される組付体からなり、エンジンの慣性主軸上におけるエンジンを間に挟んだ車両の左側と右側とにおけるエンジンとボデーとの間にそれぞれ介装される防振マウントと共に、エンジンをボデーに支持せしめる筒型防振マウント組付体において、前記筒型防振マウントの前記軸部材を間に挟んだ上側と下側の前記本体ゴム弾性体部位に、肉抜け空所がそれぞれ設けられる一方、前記第一の取付金具と前記第二の取付金具のうちの何れか一方に、それらのうちの他方に対して、車両の前後方向に所定距離を隔てて位置せしめられるストッパ部と、該ストッパ部を該一方の取付金具に連結せしめる連結部とを有する変位規制部材が設けられて、該筒型防振マウントが、該第一及び第二の取付金具を介して、エンジンとボデーとに取り付けられた状態下において、前記軸部材と前記外筒部材とが車両前後方向に相対変位せしめられたときに、該変位規制部材の該ストッパ部と該他方の取付金具とが相互に当接せしめられることにより、それら軸部材と外筒部材の車両前後方向への相対変位量が、該ストッパ部と該他方の取付金具との間の距離に応じた量において規制されるように構成されていることを特徴とする筒型防振マウント組付体にある。
【発明の効果】
【００１５】
すなわち、本発明に従う横置きエンジンの支持構造の第一の態様においては、エンジンの前後に配された前側筒型防振マウントや後側筒型防振マウントの軸部材と外筒部材とが車両前後方向に相対変位せしめられたときに、第一の取付金具と第二の取付金具のうちの何れか一方に、それらのうちの他方と車両前後方向に所定距離を隔てて設けられた変位規制部材のストッパ部と、かかる他方の取付金具とが当接せしめられて、軸部材と外筒部材との車両前後方向への相対変位量が、それらストッパ部と他方の取付金具との間の距離に応じた量において規制されるようになっているところから、エンジンが、ボデーに対して車両前後方向に相対変位せしめられた場合にあっても、それに伴って変位せしめられる前側筒型防振マウントや後側筒型防振マウントの軸部材と外筒部材の車両前後方向の相対変位量が、ストッパ部と他方の取付金具との間の距離に応じた量において規制されることとなる。
【００１６】
これによって、本発明に係る横置きエンジンの支持構造では、例えば、車両の衝突時等に、エンジンが車両前後方向に変位せしめられたときに、その変位量が、前側筒型防振マウントや後側筒型防振マウントに取り付けられる第一の取付金具と第二の取付金具のうちの何れか一方に設けられた変位規制部材のストッパ部と、それらのうちの他方の取付金具との間の距離の範囲内に抑えられて、かかる距離を超えた量において、エンジンが、ボデーに対して、車両前後方向に相対変位せしめられることが有利に阻止され得る。
【００１７】
しかも、本発明構造では、エンジンが、その慣性主軸上に配された左側及び右側防振マウントにて、エンジンの左右両側で防振されていることにより、車両の通常走行時において、エンジンが、主に、ロール方向に変位せしめられて、前後方向方向に変位せしめられるようなことが殆どないため、前記変位規制部材のストッパ部と他方の取付金具との間の距離を可及的に小さくすることが出来、それによって、エンジンの車両前後方向への変位規制量を、より十分に小さく為すことが可能となっている。
【００１８】
それ故、本発明に従う横置きエンジンの支持構造においては、車両が、例えば、時速１０ｋｍ程度で軽衝突せしめられた場合にあっても、エンジンの周囲において、ボデーに固定された様々な部品とエンジンとが接触して、それらの部品が損傷せしめられるようなことが有利に防止され得、また、それによって、車両の自走機能が損なわれるようなことも、効果的に解消され得ることとなる。
【００１９】
また、かかる本発明構造では、前側筒型防振マウントや後側筒型防振マウントに取り付けられる第一及び第二の取付金具のうちの何れか一方の取付金具に設けられた変位規制部材のストッパ部と、それらのうちの何れか他方の取付金具とを当接させることにより、軸部材と外筒部材の相対変位量、ひいてはエンジンの車両前後方向への相対変位量の規制が実現されているのであって、かかる規制の実現に際して、前側及び後側筒型防振マウントの構造自体が、何等変更せしめられるものではなく、そのため、前側及び後側筒型防振マウントの所望の防振特性が安定的に且つ有利に確保され得る。
【００２０】
さらに、本発明に係る横置きエンジンの支持構造においては、変位規制部材が設けられる一方の取付金具を介してエンジンやボデーに取り付けられる筒型防振マウントにおける軸部材を間に挟んだ上側と下側の本体ゴム弾性体部位に、肉抜け空所が設けられているところから、かかる本体ゴム弾性体における車両の上下方向のばね特性が軟らかくされる一方、車両前後方向のばね特性が、車両上下方向のばね特性よりも有利に硬く為され得る。
【００２１】
これによって、車両の加減速時におけるエンジンのロール方向への変位に基づいて、エンジンの前側や後側に位置せしめられる筒型防振マウントに入力される車両上下方向の振動が、上述の如き肉抜け空所が本体ゴム弾性体に設けられた筒型防振マウントの本体ゴム弾性体における車両上下方向の軟らかいばね特性に基づいて、より効果的に低減せしめられる一方、かかる筒型防振マウントの本体ゴム弾性体における車両前後方向の硬いばね特性によって、エンジンのボデーに対する車両前後方向への相対変位の抑制が、可及的に図られ得る。
【００２２】
従って、かくの如き本発明に従う横置きエンジンの支持構造によれば、横置きにされたエンジンを、車両のボデーに対して防振マウントを介して支持せしめた状態で、防振マウントの所望の防振特性が、何等損なわれることなく、エンジンのボデーに対する車両前後方向への相対変位が有利に阻止され得て、エンジンの周囲におけるボデー上に配設される部品の車両の軽衝突時等における損傷が、極めて効果的に防止され得ることとなるのである。
【００２３】
なお、このような本発明に従う横置きエンジンの支持構造の第二の態様によれば、エンジンが車両前後方向に変位せしめられた際に、ストッパ部と、それに対向位置せしめられる取付金具とが、より一層確実に当接せしめられ得ることとなり、それによって、エンジンのボデーに対する車両前後方向への相対変位が、更に一層確実に且つ安定的に防止され得る。
【００２４】
また、本発明に従う横置きエンジンの支持構造の第三の態様によれば、変位規制部材の十分な剛性が確保され得て、エンジンの車両前後方向への変位の防止効果が、より安定的に発揮され得ることとなる。
【００２５】
そして、本発明に従う筒型防振マウント組付体に係る第四の態様においては、筒型防振マウントが、第一の取付金具や第二の取付金具を介して、エンジンとボデーに取り付けられた状態下で、かかる第一及び第二の取付金具のうちの何れか一方に、それらのうちの何れか他方と車両前後方向に所定距離隔てて位置せしめられるストッパ部を備えた変位規制部材が設けられて、軸部材と外筒部材とが車両前後方向に変位せしめられたときに、変位規制部材のストッパ部と他方の取付金具とが当接せしめられて、軸部材と外筒部材との車両前後方向への相対変位量が、それらストッパ部と他方の取付金具との間の距離に応じた量において規制されるようになっているところから、例えば、車両の衝突等により、エンジンが、車両前後方向に、ストッパ部と他方の取付金具との間の距離の範囲を越えた量をもって、ボデーに対して相対変位せしめられることが有利に阻止され得、以て、車両の軽衝突等によるエンジンのボデーに対する車両前後方向への相対変位によって、エンジンの周囲の部品が損傷するようなことも、効果的に解消され得る。
【００２６】
また、このような本発明に係る筒型防振マウント組付体では、筒型防振マウント自体には、エンジンの車両前後方向への変位を規制するための特別な構造が、何等付加されていないため、かかる筒型防振マウントの所望の防振特性が有利に確保され得る。
【００２７】
しかも、かかる筒型防振マウント組付体においては、筒型防振マウントの軸部材を間に挟んだ上側と下側の本体ゴム弾性体部位に、肉抜け空所が設けられているところから、エンジンとボデーとの間に介在せしめられた状態下で、車両の上下方向における本体ゴム弾性体のばね特性が軟らかくされて、車両上下方向の入力振動を有利に低減させることが出来ると共に、車両前後方向における本体ゴム弾性体のばね特性が比較的に硬く為され得て、エンジンの車両前後方向への変位の抑制が、可及的に図られ得る。
【００２８】
従って、かくの如き本発明に従う筒型防振マウント組付体を用い、これを横置きエンジンの前側と後側に配置して、エンジンの慣性主軸上における左右両側に配置された防振マウントと共に、かかる横置きエンジンをボデーに支持せしめれば、所望の防振特性をもって、エンジンをボデーに防振支持させることが出来、また、そのようなエンジンのボデーへの支持状態下で、エンジンのボデーに対する車両前後方向への相対変位が有利に阻止され得て、エンジンの周囲におけるボデー上に配された部品が、車両の軽衝突時等にエンジンと接触せしめられて、損傷を受けるようなことが、極めて効果的に防止され得るのである。
【発明を実施するための最良の形態】
【００２９】
以下、本発明を更に具体的に明らかにするために、本発明に係る横置きエンジンの支持構造と筒型防振マウント組付体の構成について、図面を参照しつつ、詳細に説明することとする。
【００３０】
先ず、図１には、本発明に従う横置きエンジンの支持構造の一実施形態として、本発明に従う筒型防振マウント組付体を用いて、ＦＦ型自動車のボデーに、エンジンを横置きに配置して、支持せしめた構造が、概略的に示されている。かかる図１において、１０は、ＦＦ型自動車のエンジンであって、エンジンルーム内に、慣性主軸：Ｌが車両の左右方向（車両の進行方向に向かっての左右方向であって、図１中、紙面に垂直な方向）に延出せしめられるように、横置きに配置されている。そして、この横置きに配置されたエンジン１０が、慣性主軸：Ｌ上におけるエンジン１０を間に挟んだ車両の左右方向の両側にそれぞれ位置せしめられた左側防振マウント１２と右側防振マウント１４とにて、左右両側において、車両のボデー１６に支持されていると共に、エンジン１０を間に挟んだ車両前後方向（車両の進行方向においての前後方向であって、図１中、左右方向）の両側に各々位置せしめられた前側防振マウント１８と後側防振マウント２０とにて、前後両側においても、ボデー１６に支持されている。
【００３１】
より具体的には、左側防振マウント１２は、公知の筒型防振マウントと同様な構造とされている。即ち、左側防振マウント１２は、小径円筒状の内筒金具２２と、この内筒金具２２に対して、その径方向外方に所定距離を隔てて同軸的に配置された大径円筒状の外筒金具２４とを有し、それら内筒金具２２と、外筒金具２４とが、それらの間に介装された筒状の本体ゴム弾性体２６に対して、それぞれの外周面と内周面とにおいて、加硫接着せしめられることにより、かかる本体ゴム弾性体２６にて連結されて、構成されている。
【００３２】
そして、この左側防振マウント１２にあっては、エンジン１０の左側（車両の進行方向に向かって左側であって、図１における紙面の手前側）において、内筒金具２２が、エンジン１０の慣性主軸：Ｌに対して直角な方向に延び、且つ軸方向の中心において、慣性主軸：Ｌに交差するように配された状態下で、かかる内筒金具２２内に、エンジン１０に固定されたエンジン側ブラケット２８に一体的に設けられた取付軸３０が挿通固定されており、また、外筒金具２４が、ボデー１６に固定されたボデー側ブラケット３２に固定されている。換言すれば、左側防振マウント１２と、エンジン１０に取り付けられた状態で、左側防振マウント１２の内筒金具２２に固定されて、組み付けられたエンジン側ブラケット２８と、ボデー１６に取り付けられた状態で、左側防振マウント１２の外筒金具２４に固定されて、組み付けられたボデー側ブラケット３２とからなる左側防振マウント組付体３４が、エンジン１０の左側に、配設されている。
【００３３】
また、右側防振マウント１４は、左側防振マウント１２と同様な構造とされていると共に、中心軸が慣性主軸：Ｌの延出方向に沿って延びるように位置せしめられる以外、左側防振マウント１２と同様にして、エンジン１０とボデー１６との間に設置されている。
【００３４】
すなわち、右側防振マウント１４は、径方向に所定距離を隔てて同軸的に配置された小径円筒状の内筒金具３６と大径円筒状の外筒金具３８とが、それらの間に介装された筒状の本体ゴム弾性体４０にて、加硫接着により連結されて、構成されている。そして、エンジン１０の右側（車両の進行方向に向かって右側であって、図１中、紙面の奥側）において、内筒金具３６が、慣性主軸：Ｌと略同一方向に延びるように位置せしめられた状態で、かかる内筒金具３６内に、エンジン１０に固定されたエンジン側ブラケット４２に一体的に設けられた取付軸４４が挿通固定されており、また、外筒金具３８が、ボデー１６に固定されたボデー側ブラケット４６に固定されている。つまり、右側防振マウント１４と、エンジン１０に取り付けられた状態で、右側防振マウント１４の内筒金具３６に固定されて、組み付けられたエンジン側ブラケット４２と、ボデー１６に取り付けられた状態で、右側防振マウント１４の外筒金具３８に固定されて、組み付けられたボデー側ブラケット４６とからなる左側防振マウント組付体４８が、エンジン１０の左側に、配設されている。
【００３５】
かくして、左側及び右側防振マウント１２，１４のそれぞれの内筒金具２２，３６が、エンジン１０の慣性主軸：Ｌ上におけるエンジン１０の左右両側において、エンジン側ブラケット２８，４２を介して、エンジン１０に取り付けられている一方、各外筒金具２４，３８が、ボデー側ブラケット３２，４６を介して、ボデー１６に取り付けられている。そして、これによって、エンジン１０の重量の殆どが、その慣性主軸：Ｌ上の左右両側で、左側防振マウント組付体３４と右側防振マウント組付体４８とにて分担せしめられた状態で、エンジン１０が、それら左側及び右側防振マウント組付体３４，４８を介して、ボデー１６に対して弾性的に支持せしめられているのである。
【００３６】
而して、本実施形態においては、前側防振マウント１８と後側防振マウント２０が、前記左側及び右側防振マウント１２，１４と略同様な基本構造とされているものの、かかる前側防振マウント１８が、それをエンジン１０やボデー１６に取り付けるエンジン側ブラケット５０及びボデー側ブラケット５２に組み付けられてなる前側防振マウント組付体５４と、後側防振マウント２０が、それをエンジン１０やボデー１６に取り付けるエンジン側ブラケット５６及びボデー側ブラケット５８に組み付けられてなる後側防振マウント組付体６０とが、前記左側防振マウント組付体３４や右側防振マウント組付体４８とは異なる、従来には見られない特別な構造とされており、そこに、大きな技術的特徴が存しているのである。なお、ここでは、前側防振マウント組付体５４の構造と後側防振マウント組付体６０の構造とが、互いに同一の構造とされているため、前側防振マウント組付体５４の構造のみについて、図面を参照しながら詳述し、後側防振マウント組付体６０の構造に関して、その詳細な説明が省略されていることが理解されるべきである。
【００３７】
すなわち、図２及び図３に示されるように、前側防振マウント１８（後側防振マウント２０）は、軸部材たる小径円筒状の内筒金具６２と、この内筒金具６２に対して、その径方向外方に所定距離を隔てて同軸的に配置された、外筒部材としての大径円筒状の外筒金具６４と、それら内筒金具６２と外筒金具６４との間に介装された筒状の本体ゴム弾性体６６とを有している。そして、内筒金具６２と外筒金具６４とが、それぞれの外周面と内周面とにおいて、本体ゴム弾性体６６に加硫接着せしめられることにより、本体ゴム弾性体６６にて連結されて、構成されている。つまり、前側防振マウント１８（後側防振マウント２０）は、前記左側及び右側防振マウント１２，１４と同じ基本構造を有する筒型防振マウントとして、構成されているのである。
【００３８】
そして、ここでは、かかる前側防振マウント１８（後側防振マウント２０）の内筒金具６２を間に挟んだ本体ゴム弾性体６６の径方向一方向の一方側部位とその他方側部位とに、肉抜け空所６８が、それぞれ一つずつ、設けられている。この二つの肉抜け空所６８，６８は、何れも、本体ゴム弾性体６６の径方向一方向の一方側部位と他方側部位とを、該径方向一方向とは直角な方向において実質的に二分するような幅をもって、本体ゴム弾性体６６の軸方向に貫通して延びるように、形成されている。これによって、本体ゴム弾性体６６における該径方向一方向のばね特性が軟らかくされている。
【００３９】
また、かかる前側防振マウント１８（後側防振マウント２０）と前側防振マウント組付体５４（後側防振マウント組付体６０）を構成して、ボデー１６に取り付けられるボデー側ブラケット５２（５８）は、縦断面コ字形状を呈する一枚の金属板からなり、略長手矩形の平板形状を呈する取付板部７０と、この取付板部７０の幅方向の両端縁部から、厚さ方向一方側に向かって、互いに平行に、所定高さをもって一体的に延び出す二つの支持板部７２，７２とを有して、構成されている。
【００４０】
また、このようなボデー側ブラケット５２（５８）の取付板部７０の長さ方向両端部側の部位には、かかる部位を貫通するボルト層通孔７４が、それぞれ一つずつ設けられている。一方、二つの支持板部７２，７２においては、それらの対向方向において互いに対応する部位に、前側防振マウント１８（後側防振マウント２０）の外筒金具６４が厚入可能な径を有する取付孔７６が、それらの部位を貫通して、それぞれ設けられており、また、この取付孔７６を取り囲む部位の外周面の一部が、ボデー側ブラケット５２（５８）のボデー１６への取付状態下で、鉛直方向に延びるように構成された平坦な当接面７８とされている。
【００４１】
そして、このようなボデー側ブラケット５２が、エンジン１０の前側（車両の進行方向に向かって前側であって、図２及び図３における左側）において、ボデー１６上に、二つの支持板部７２，７２を、それらに設けられた各当接面７８がエンジン１０側とは反対側（車両の前方側）に向けられて、鉛直方向に延出せしめられるように、立設して配した状態で、取付板部７０の各ボルト層通孔７４に挿通された取付ボルト８０にて、ボデー１６に取り付けられている。そしてまた、かかるボデー側ブラケット５２のボデー１６への取付状態下で、前側防振マウント１８が、ボデー側ブラケット５２の二つの支持板部７２，７２を跨ぐように配置されて、外筒金具６４の長さ方向（高さ方向）の両側端部において、各支持板部７２の取付孔７６に厚入されて、支持されている。
【００４２】
これによって、前側防振マウント１８が、ボデー側ブラケット５２に対して、外筒金具６４を固定させて、組み付けられていると共に、かかる前側防振マウント１８の外筒金具６４が、ボデー側ブラケット５２を介して、ボデー１６に固定されている。このことから明らかなように、本実施形態では、ボデー側ブラケット５２にて、第二の取付金具が構成されている。
【００４３】
また、ここでは、上述の如きボデー側ブラケット５２のボデー１６への取付状態下において、ボデー側ブラケット５２に固定される前側防振マウント１８の本体ゴム弾性体６６に設けられた二つの肉抜け空所６８，６８が、内筒金具６２を挟んで、その上側と下側に位置せしめられるようになっており、これによって、前側防振マウント１８の本体ゴム弾性体６６における車両上下方向のばね特性が十分に軟らかくされている一方、車両前後方向のばね特性が、比較的に硬くされている。
【００４４】
一方、それら前側防振マウント１８（後側防振マウント２０）とボデー側ブラケット５２（５８）と共に前側防振マウント組付体５４（後側防振マウント組付体６０）を構成するエンジン側ブラケット５０（５６）も、ボデー側ブラケット５２（５８）と同様に、縦断面コ字形状を呈する一枚の金属板からなっており、略長手矩形の平板形状を呈し、長さ方向両端部側の部位に、それらの部位を貫通して延びるボルト層通孔８２が、それぞれ一つずつ設けられてなる取付板部８４と、この取付板部８４の幅方向の両端縁部から、厚さ方向一方側に向かって、互いに平行に、所定高さをもって一体的に延び出す二つの支持板部８６，８６とを有して、構成されている。
【００４５】
また、このようなエンジン側ブラケット５０（５６）にあっては、二つの支持板部８６，８６のそれぞれの延出方向先端部位の間に、取付軸８８が、各先端部位の対向方向に延びるように、取り付けられている。即ち、二つの支持板部８６，８６の各先端部位には、貫通孔９０が、それぞれ同軸上に位置する状態で、形成されている。また、取付軸８８は、それら各貫通孔９０と前側防振マウント１８（後側防振マウント２０）の内筒金具６２内とに各々挿通可能な外径と、二つの支持板部８６，８６の間の距離よりも長い長さとを有する脚部を備えたボルトからなっている。そして、このボルトからなる取付軸８８のボルト脚部が、一方の支持板部８６から他方の支持板部８６に向かって延びるように、それら各支持板部８６の貫通孔９０に挿通せしめられて、他方の支持板部８６の貫通孔９０から、一方の支持板部８６側とは反対側に突出せしめられたボルト脚部の先端部に、ナット９２が螺合されている。これによって、取付軸８８が、二つの支持板部８６，８６のそれぞれの先端部位に跨って延びるように設けられているのである。
【００４６】
そして、かかるエンジン側ブラケット５０が、前側防振マウント１８が固定されて、エンジン１０の前側のボデー１６に取り付けられたボデー側ブラケット５２とエンジン１０との間に位置せしめられて、取付板部８４の各ボルト層通孔８２に挿通された取付ボルト９４にて、エンジン１０の前面に取り付けられている。また、そのようなエンジン１０への取付状態下で、エンジン側ブラケット５０の二つの支持板部８６，８６が、ボデー側ブラケット５２の二つの支持板部７２，７２の外側において、それらを間に挟むように位置せしめられると共に、各支持板部８６の先端部に跨って延びる取付軸８８が、ボデー側ブラケット５２の二つの支持板部７２，７２にて支持された前側防振マウント１８の内筒間具６２内に挿通、位置せしめられることにより、かかる内筒金具６２が、取付軸８８に取り付けられている。
【００４７】
これによって、前側防振マウント１８が、エンジン側ブラケット５０に対して、内筒金具６２を固定させて、組み付けられていると共に、かかる前側防振マウント１８の内筒金具６２が、エンジン側ブラケット５０を介して、エンジン１０に固定されている。このことから明らかなように、本実施形態では、エンジン側ブラケット５０にて、第一の取付金具が構成されている。
【００４８】
かくして、ここでは、図１に示される如く、前側防振マウント１８とエンジン側ブラケット５０とボデー側ブラケット５２とからなる前側防振マウント組付体５４が、エンジン１０の前側において、エンジン１０とボデー１６との間に介装されて、配設されている。また、前述せる如く、後側防振マウント２０とエンジン側ブラケット５６とボデー側ブラケット５８とからなる後側防振マウント組付体６０も、前側防振マウント組付体５４と同じ構造をもって、エンジン１０の後側（車両の進行方向に向かって後側であって、図１における右側）において、エンジン１０とボデー１６との間に介装されて、配設されているのであるが、この後側防振マウント組付体６０にあっては、ボデー側ブラケット５８の各支持板部に７２設けられた当接面７８が、エンジン１０側とは反対側（車両後側）に向けられて、鉛直方向に延びるように位置せしめられた状態で、配設されている。
【００４９】
そして、これによって、エンジン１０が、その前側と後側で、前側及び後側防振マウント組付体５４，６０を介して、ボデー１６に対して弾性的に支持せしめられており、以て、車両の発進時や制動時に生ずるエンジン１０のロール方向の変位（慣性主軸：Ｌを回転軸とした、エンジン１０の回転）が、前側及び後側防振マウント１８，２０に対して、略上下方向への振動として入力せしめられ、そして、この略上下方向の入力振動が、前側及び後側防振マウント１８，２０における各本体ゴム弾性体６６の、柔らかなばね特性を発揮する上下方向の弾性変形によって、効果的に吸収せしめられるようになっているのである。
【００５０】
而して、本実施形態では、特に、図１乃至図３から明らかなように、上述の如き構造とされた前側防振マウント組付体５４と後側防振マウント組付体６０における各エンジン側ブラケット５０，５６に対して、変位規制部材としての変位規制金具９６が、それぞれ設けられている。なお、上述の説明と同様に、後側防振マウント６０のエンジン側ブラケット５６に設けられた変位規制金具９６は、前側防振マウント５４のエンジン側ブラケット５０に設けられた変位規制金具９６と同一の構造とされているため、ここでは、前側防振マウント５４のエンジン側ブラケット５０に設けられた変位規制金具９６の構造についてのみ、詳述する。
【００５１】
すなわち、図２及び図３に示されるように、変位規制金具９６は、比較的に厚肉、狭幅で且つ長尺な帯状の一枚の金属板からなり、かかる金属板が、コ字状に屈曲せしめられてなる如き形状を呈している。そして、そのようなコ字状金属板からなる変位規制金具９６が、板厚方向において、互いに所定距離を隔てて対向して、長手方向に同一の長さをもって平行に延び出す一対の連結板部９８，９８と、かかる一対の連結板部９８，９８の先端部位の間において、それらの対向方向に一体的に延び出して、一対の連結板部９８，９８の先端部位同士を相互に接続するストッパ部１００とを有して、構成されている。また、かかるストッパ部１００にあっては、その内側、つまり連結板部９８，９８側の面が、平坦なストッパ面１０２とされている。
【００５２】
そして、このような変位規制金具９６が、ストッパ部１００のストッパ面１０２を、ボデー側ブラケット５２（５８）における各支持板部７２の当接面７８に対して、所定距離を隔てて、平行に位置するように対向させた状態で、各連結板部９８のストッパ部１００側とは反対の先端部において、エンジン側ブラケット５０（５６）の各支持板部８６の外側面に、溶接等により固着されて、連結されている。
【００５３】
また、ここでは、かくの如き変位規制金具９６のエンジン側ブラケット５０への固着状態下で、互いに平行に対向位置せしめられたストッパ部１００のストッパ面１０２と各支持板部７２の当接面７８との距離：ｄが、エンジン１０の周囲のボデー１６上に配設された各種の部品のうちで、エンジン１０に最も近接する部品（図示せず）とエンジン１０との間の距離よりも小さな寸法とされている。更に、前述せる如く、ボデー側ブラケット５０のボデー１６への取付状態下で、各当接面７８が、エンジン１０とは反対側に向けられて、鉛直方向に延びるように位置せしめられているところから、ストッパ部１００のストッパ面１０２は、それら各当接面７８に対して、それらよりも車両の前側において、上述の如き比較的に小さな距離を隔ててつつ、鉛直方向に延びるように位置せしめられている。
【００５４】
なお、先に詳述せるように、本実施形態においては、エンジン１０の重量の殆どを分担して支持する左側防振マウント組付体３４と右側防振マウント組付体４８とが、エンジン１０の慣性主軸：Ｌ上における左右両側に位置せしめられているため、車両の定速度での走行時は勿論、加減速時においても、エンジン１０のロール方向の変位は認められるものの、前後方向への変位は殆どない。それ故に、ストッパ部１００のストッパ面１０２と各支持板部７２の当接面７８との距離：ｄを十分に小さくしても、通常の車両走行に対して悪影響が及ぼされることはない。
【００５５】
また、図には明示されていないものの、後側防振マウント組付体６０のエンジン側ブラケット５６に設けられた変位規制金具９６も、かかる後側防振マウント組付体６０のボデー側ブラケット５８の各支持板部７２に設けられた、鉛直方向に延びる当接面７８に対して、それらよりも車両の後側において、エンジン１０に最も近接する部品とエンジン１０との間の距離よりも小さな距離を隔てつつ、鉛直方向に延びるように位置せしめられている。
【００５６】
かくして、本実施形態では、例えば、車両の衝突等により、エンジン１０が、ボデー１６に対して前後方向に相対変位せしめられ、それに伴って、エンジン側ブラケット５０，５６を介してエンジン１０に取り付けられる前側及び後側防振マウント１８，２０の各内筒金具６２が、ボデー側ブラケット５２，５８を介してボデー１６に取り付けられる前側及び後側防振マウント１８，２０の各外筒金具６４に対して相対変位せしめられたときに、エンジン側ブラケット５０，５６にそれぞれ設けられた変位規制金具９６のストッパ部１００のストッパ面１０２と、ボデー側ブラケット５２，５８の各当接面７８とが相互に当接せしめられるようになる。そして、それによって、エンジン１０のボデー１６に対する車両前後方向への相対変位に伴って変位せしめられる前側及び後側防振マウント１８，２０の各外筒金具６４と各外筒金具６４との相対変位量が、変位規制金具９６のストッパ部１００のストッパ面１０２とボデー側ブラケット５２，５８の各当接面７８との間の距離：ｄに応じた量において規制されることとなる。また、上述のように、それらストッパ面１０２と各当接面７８との間の距離：ｄは、エンジン１０の周囲のボデー１６上において、エンジン１０と最も近接する部品（図示せず）とエンジン１０との間の距離よりも小さくされている。
【００５７】
従って、かくの如き本実施形態によれば、車両が、例えば、時速１０ｋｍ程度で軽衝突せしめられた場合にあっても、エンジン１０周りのボデー１６上に配設された様々な部品とエンジン１０とが接触して、それらの部品が損傷せしめられるようなことが有利に防止され得、また、それによって、車両の自走機能が損なわれるようなことも、効果的に解消され得るのである。
【００５８】
しかも、本実施形態では、エンジン１０のボデー１６に対する車両前後方向の相対変位量を規制するために、例えば、前側及び後側防振マウント１８，２０のそれぞれの内筒金具６２と外筒金具６４との間の距離を小さくするような、各防振マウント１８，２０の防振特性、更には耐久性に悪影響を及ぼしめる設計変更が、前側及び後側防振マウント１８，２０に対して、何等行われるものでないため、エンジン１０のボデー１６に対する車両前後方向の相対変位量の規制、更にはそれによって得られる上述の如き格別顕著な作用・効果が、前側及び後側防振マウント１８，２０の防振特性や耐久性を損なうことなく、極めて有利に奏され得ることとなる。
【００５９】
また、かかる本実施形態においては、車両の加減速時におけるエンジン１０のロール方向への変位に伴って生ぜしめられるエンジン１０の振動が、前側及び後側防振マウント１８，２０の各本体ゴム弾性体６６の上下方向の柔らかいばね特性に基づいて、より効果的に低減せしめられる一方、それら各防振マウント１８，２０の本体ゴム弾性体６６における車両前後方向の硬いばね特性によっても、エンジン１０のボデー１６に対する車両前後方向への相対変位の抑制が、可及的に図られ得る。
【００６０】
さらに、本実施形態では、エンジン１０が、ボデー１６に対して、車両前後方向に相対変位せしめられたときに、互いに当接して、その相対変位量を規制するストッパ面１０２と当接面７８とが、それぞれ鉛直方向に延び出して、互いに平行に位置せしめられているところから、それらストッパ面１０２と当接面７８とが、車両前後方向において、可及的に大きな面積をもって確実に当接せしめられ得ることとなり、それによって、エンジン１０のボデー１６に対する車両前後方向への相対変位が、更に一層確実に且つ安定的に防止され得る。
【００６１】
更にまた、本実施形態では、そのようなストッパ面１０２と当接面７８とが、金属板にて構成されていることによって、十分な剛性と堅牢性が確保可能な金属板からなるエンジン側ブラケット５０，５６の変位規制金具９６と、同じく金属板からなるボデー側ブラケット５２，５８に形成されているところから、エンジン１０の車両前後方向への変位の防止効果が、より安定的に発揮され得るといった利点が得られる。
【００６２】
以上、本発明の具体的な構成について詳述してきたが、これはあくまでも例示に過ぎないのであって、本発明は、上記の記載によって、何等の制約を受けるものではない。
【００６３】
例えば、前記実施形態では、前側防振マウント組付体５４に設けられた変位規制部材としての変位規制金具９６におけるストッパ部１００のストッパ面１０２が、ボデー側ブラケット５２の当接面７８に対して、車両の前方側において対向位置せしめられる一方、後側防振マウント組付体６０に設けられた変位規制部材としての変位規制金具９６におけるストッパ部１００のストッパ面１０２が、ボデー側ブラケット５８の当接面７８に対して、車両の後方側において対向位置せしめられていたが、それとは異なって、前側防振マウント組付体５４に設けられた変位規制金具９６におけるストッパ部１００のストッパ面１０２を、ボデー側ブラケット５２の当接面７８に対して、車両の後方側において対向位置せしめたり、或いは、後側防振マウント組付体６０に設けられた変位規制金具９６におけるストッパ部１００のストッパ面１０２を、ボデー側ブラケット５８の当接面７８に対して、車両の前方側において対向位置せしめたりすることも、可能である。
【００６４】
また、変位規制部材たる変位規制金具９６は、前側防振マウント組付体５４と後側防振マウント組付体６０の両方に、必ずしも設けられている必要はなく、それら二つの組付体５４，６０のうちの少なくとも何れか一方に設けられておれば良い。
【００６５】
さらに、かかる変位規制金具９６を、エンジン側ブラケット５０，５６に代えて、ボデー側ブラケット５２，５８に設けることも、可能である。勿論、その場合には、かかる変位規制金具９６のストッパ部１００のストッパ面１０２と当接せしめられる当接面７８は、エンジン側ブラケット５０，５６に設けられることとなる。
【００６６】
更にまた、そのような変位規制部材の形状や材質、或いは前側防振マウント組付体５４や後側マウント組付体６０への固定構造も、例示のものに、何等限定されるものでないことは、言うまでもないところである。
【００６７】
また、前側及び後側防振マウント組付体５４，６０におけるエンジン側ブラケット５０，５６やボデー側ブラケット５２，５８の形状、エンジン１０やボデー１６への取付構造、更には前側及び後側防振マウント１８，２０の内筒金具６２や外筒金具６４に対する固定構造も、前記実施形態に示されるものに、特に限定されるものでないことは、勿論である。
【００６８】
さらに、前記実施形態では、左側及び右側防振マウント１２，１４として、筒型防振マウントタイプのものが採用されていたが、そのような筒型防振マウントタイプ以外の従来より公知のタイプの防振マウントを用いることも出来、更に、それらの防振マウントをブラケットを介することなく、エンジンやボデーに対して直接に取り付けることも、可能である。
【００６９】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００７０】
【図１】本発明に従って、横置きエンジンをボデーに支持せしめた状態を示す側面説明図である。
【図２】図１のII矢視における要部拡大説明図である。
【図３】図２のIII−III断面における要部説明図である。
【符号の説明】
【００７１】
１０  エンジン
１２  左側防振マウント
１４  右側防振マウント
１６  ボデー
１８  前側防振マウント
２０  後側防振マウント
２２，３６，６２  内筒金具
２４，３８，６４  外筒金具
２６，４０，６６  本体ゴム弾性体
２８，４２，５０，５６  エンジン側ブラケット
３２，４６，５２，５８  ボデー側ブラケット
５４  前側防振マウント組付体
６０  後側防振マウント組付体
６８  肉抜け空所
７８  当接面
９６  変位規制金具
９８  連結部
１００  ストッパ部
１０２  ストッパ面
【図１】
2005280399.tif 000003
【図２】
2005280399.tif 000004
【図３】
2005280399.tif 000005